(57)【要約】  【課題】飲料水と玩具とをそれぞれ隔離した状態で一の容器内に収納する。  【解決手段】内部空間Ｓ１に飲料水を収容し得る容器本体１と、内部空間Ｓ１における所定領域を占有し且つ飲料水と隔離した状態で玩具Ｆを収納可能な収納空間Ｓ２とを具備してなる容器Ｐとした。【選択図】図１
0003105889.tif 000002
【実用新案登録請求の範囲】
【請求項１】
内部空間に食品等の内容物を収容し得る容器本体と、前記内部空間における所定領域を占有し且つ前記内容物と隔離した状態で玩具等の被収納物を収納可能な収納空間とを具備していることを特徴とする容器。
【請求項２】
前記収納空間が、前記容器本体の外部に連通し得るものである請求項１記載の容器。
【請求項３】
前記収納空間が、前記容器本体の底部に連通し得るものである請求項１又は２記載の容器。
【請求項４】
前記内部空間と前記収納空間とを仕切る隔壁が、前記容器本体の一部に連続している請求項２又は３記載の容器。
【請求項５】
前記収納空間を蓋封する蓋部材が、前記被収納物を支持する台座である請求項２、３又は４記載の容器。
【請求項６】
前記容器本体に着脱可能に取り付けられるキャップ部材を、前記台座に嵌合可能に設定している請求項５記載の容器。
【請求項７】
前記キャップ部材又は前記台座の何れか一方に設けた凸部と、他方に設けられ前記凸部に嵌合可能な凹部とを嵌め合わせることにより前記キャップ部材と前記台座とを嵌合可能に構成している請求項６記載の容器。
【請求項８】
前記容器本体を、透光性を有する素材を用いて構成している請求項１、２、３、４、５、６、又は７記載の容器。
【考案の詳細な説明】
【技術分野】
【０００１】
本考案は、主として飲料水等の液体を収容可能な容器に関するものである。
【背景技術】
【０００２】
従来より、例えばキャラクターグッズ等の玩具をおまけとして食品に付帯させて陳列及び販売する態様が知られている。その一例として、フィギュア等のおまけを袋状の収納体に収納し、その収納体を飲料水が入ったペット（ＰＥＴ：ポリエチレン・テフタレート）ボトルの首部に吊り下げた状態で陳列及び販売する態様が挙げられる（例えば特許文献１参照）。
【特許文献１】特開２００４−１２３２０７号公報（図５参照）
【考案の開示】
【考案が解決しようとする課題】
【０００３】
しかしながら、店内等での販売時に前記収納体を首部に取り付けた容器を複数並べようとした場合、袋状の収納体同士が干渉したり、或いは一の収納体が他の容器に当たる等して整然と陳列することが困難なケースが生じ、陳列時の見栄えが悪くなるという不具合が生じる。加えて、前記収納体は容器の首部に単に吊り下げているため、このような状態で陳列した場合、おまけの入った前記収納体だけが容器の首部から簡単に取り外されてしまうという問題も生じる。また、収納体を首部に取り付けた容器は、専ら店で販売されるものであり、自動販売機で販売するという態様は採られていない。これは、収納体が自動販売機内で引っ掛かる等して容器を自動販売機内から取り出すことができず、ひいては自動販売機の故障にも繋がる虞が多分にあるからである。これら上述した不具合は、何れもフィギュア等のおまけを容器とは別体の袋状の収納体に収納するという構成に起因するものである。
【０００４】
そこで、本考案は、飲料水等の内容物を収容し得る一の容器内に、玩具等の被収納物も好適に収納することができる容器を提供することにある。
【課題を解決するための手段】
【０００５】
すなわち、本考案の容器は、内部空間に食品等の内容物を収容し得る容器本体と、前記内部空間における所定領域を占有し且つ前記内容物と隔離した状態で玩具等の被収納物を収納可能な収納空間とを具備していることを特徴とする。
【０００６】
ここで、「内容物」とは、飲料水や菓子等の食品の他、液体ソープ、シャンプー、リンス、洗剤、薬等容器本体の内部空間に収容可能なものであればよく、液体、粉状体、粒状体何れの状態のものであっても構わない。
【０００７】
このようなものであれば、内部空間と収納空間が一の容器内において隔離されているため、収納空間に収納される玩具等の被収納物と食品等の内容物とが相互に触れることがなく、一の容器内に液体と被収納物とを入れておくことができる。その結果、袋状の収納体を容器の首部に吊り下げた状態で提供する従来品と比較して、被収納物が容器の陳列時或いは梱包時に邪魔にならず、好適であるとともに、内容物と被収納物とを一の容器内に隔離した状態で入れるという従来にはない斬新な態様で容器を提供することにより、消費者の購買意欲を惹起或いは刺激し、販促効果を有効に高めることが可能となる。さらに、玩具等の被収納物を一の容器内に収容しているため、例えばこの容器の外面（表面）にパッケージラベル等を貼着した状態で陳列すれば、陳列時（消費者が商品を購入する前）に玩具のみが容器から取り外されるという従来の不具合を有効に防止することができる。また、容器の内部空間の一部を占有した収納空間に被収納物を収納しているため、自動販売機で販売した場合であっても、被収納物が自動販売機内で引っ掛かるという不具合が生じ得ず、店のみならず自動販売機を介しての販売態様にも柔軟に対応することができる。
【０００８】
また、前記収納空間が、前記容器本体の外部に連通し得るものであれば、被収納物の収納空間への出し入れが可能となり実用性に優れたものになる。特に、前記収納空間が、前記容器本体の底部に連通し得るものであることが構造上好ましい。この場合、前記内部空間と前記収納空間とを仕切る隔壁が、前記容器本体の一部に連続しているものであれば、容器本体と隔壁とを一体に成形することが可能であり、製造工程の簡素化を有効に図ることができるとともに、容器本体と隔壁とを相互に密接に関連付けて成形することができ、容器自体の強度を高めることもできる。
【０００９】
また、前記収納空間を蓋封する蓋部材が、前記被収納物を支持する台座であれば、蓋部材自体が台座としても機能するため、台座に支持された被収納物を収納空間から取り出した場合に、被収納物を台座を利用して安定した状態で据え置くことが可能である。
【００１０】
さらに、前記容器本体に着脱可能に取り付けられるキャップ部材を、前記台座に嵌合可能に設定すれば、一の容器のキャップ部材を他の容器の台座に嵌合させることにより２以上の容器をスタッキングできるとともに、容器本体から取り外したキャップ部材を台座に嵌合させることにより、キャップ部材を被収納物の装飾台として有効活用することができる。
【００１１】
具体的な実施態様としては、前記キャップ部材又は前記台座の何れか一方に設けた凸部と、他方に設けられ前記凸部に嵌合可能な凹部とを嵌め合わせることにより前記キャップ部材と前記台座とを嵌合可能に構成しているものが挙げられる。
【００１２】
また、前記容器本体を、透光性を有する素材を用いて構成すれば、収納空間に収納されている被収納物を視認することができるとともに、内部空間に内容物が入っていない状態では容器本体そのものがショーケースとして機能し、実用性の高いものとすることができる。
【考案の効果】
【００１３】
以上説明したように本考案によれば、内容物と被収納物とを一の容器内に隔離した状態で入れるという従来にはない斬新な態様で容器を提供することが可能となり、これにより、消費者の購買意欲を刺激し、販促効果を有効に高めることが可能となる。また、容器の内部空間の一部を占有してなる収納空間に被収納物を収納しているため、陳列時或いは梱包時に被収納物同士が干渉するという事態が起こり得ず、複数の容器を整然と並べることができる。しかも、このようなものであれば、被収納物が自動販売機内で引っ掛かる又は詰まることもないため、自動販売機においても好適に販売することができる。
【考案を実施するための最良の形態】
【００１４】
以下、本考案の一実施形態を、図面を参照して説明する。
【００１５】
本実施形態に係る容器Ｐは、図１及び図２に示すように、例えばジュースやミネラルウォータ等の飲料水を内部空間Ｓ１に収容し得る容器本体１と、内部空間Ｓ１における予め決められた所定領域を占有し且つ飲料水（図示省略）と隔離した状態で被収納物たる玩具Ｆを収納可能な収納空間Ｓ２とを備えたものである。
【００１６】
容器本体１は、図３（同図（ａ）は容器本体の正面図であり、同図（ｂ）は（ａ）におけるＡ−Ａ線断面図であり、同図（ｃ）は（ａ）におけるＢ−Ｂ線断面図である）に図示するように、例えば合成樹脂素材からなるいわゆるペットボトルであり、一部に開口部１１ａを有する底部１１と、底部１１の縁部全域から起立する側部１２と、底部１１と対向し且つ後述するキャップ部材２の被取付部及び飲み口としての役割を果たす首部１３ａを略中央部に設けた頂部１３とを一体成形した概略直方体状をなすものである。そして、頂部１３の首部１３ａにキャップ部材２を取付可能に設定している。このキャップ部材２は、図１及び図２等に示すように、頂部１３の平面視形状に略対応した平面視形状をなす薄板状の上面部２１と、上面部２１の縁部全域から垂下させてなる垂下壁部２２と、上面部２１の略中央部から垂下し前記首部１３ａに螺合可能な取付部（図示省略）とを一体に備えたものである。このようなキャップ部材２は、取付部を容器本体１の首部１３ａに当接または近接させた状態で所定方向に回転させて取付部を容器本体１の首部１３ａに螺合させることにより容器本体１に取り付けることができ、前記所定方向とは逆方向へ回転させて取付部と首部１３ａとの螺合状態を解除することにより容器本体１から取り外し可能に設定している。なお、キャップ部材２の垂下壁部２２には平面視鋸歯状の凹凸部２２ａを形成し、キャップの取付作業及び取外し作業の容易化を図っている。しかして、容器本体１の底部１１に形成した開口部１１ａの縁部全域から連続して頂部１３に向かって所定寸法突出させてなる突出壁１４を設けるとともに、突出壁１４の先端部同士を連結し且つ底部１１と略平行な連結壁１５を設け、これら突出壁１４及び連結壁１５によって包囲されてなる空間を前記収納空間Ｓ２としている（図３参照）。この収納空間Ｓ２は底部１１に連通している。一方、飲料水を収容し得る内部空間Ｓ１は、頂部１３、側部１２、底部１１、突出壁１４及び連結壁１５によって包囲されてなり、頂部１３の首部１３ａに連通したものである。このように、突出壁１４及び連結壁１５が、内部空間Ｓ１と収納空間Ｓ２とを仕切る本発明の隔壁として機能する。これら突出壁１４及び連結壁１５は、容器本体１と一体成形されたものであり、容器本体１と共に透明な合成樹脂素材からなる。しかしてこれら突出壁１４と連結壁１５とによって構成される収納空間Ｓ２に被収納物たる玩具Ｆを収納可能に設定してある。
【００１７】
被収納物たる玩具は、例えば人気キャラクターやスポーツ選手等のフィギュア、又は動物や自動車・機関車等の模型等、視覚や触覚等を通じて認識され興味を惹き付け得るものであり、本実施形態では玩具Ｆとしてフィギュアを採用している。この玩具Ｆは、その一部を平板状の台座Ｂに一体的に固着することにより一定の姿勢で台座Ｂに安定支持されている。本実施形態においては、玩具Ｆの脚部Ｆａを台座Ｂに固着することにより起立姿勢で安定保持されている。なお、玩具Ｆと台座Ｂとを一体成形しても勿論構わない。ここで、台座Ｂは、例えば合成樹脂素材からなり、容器本体１の底部１１に形成した開口部１１ａに取付可能に設定したものである。具体的には、台座Ｂの平面視形状を底部１１の開口部１１ａの平面視形状に対応させるとともに、台座Ｂの縁部に段部Ｂｄ（図２参照）を設け、この段部Ｂｄを、開口部１１ａの縁部に設けた段部１１ｄ（図２（ｂ）、（ｃ）参照）に嵌め込むことにより、台座Ｂを開口部１１ａの縁部に関連付けて取り付けることができる。この取付状態において、玩具Ｆが収納空間Ｓ２内に位置するとともに、この収納空間Ｓ２が台座Ｂによって蓋封されている。すなわち、台座が収納空間Ｓ２を蓋封する蓋部材としての役割を担う。なお、台座Ｂを底部１１の開口部１１ａに取り付けた状態において容器本体１の底部１１と蓋部材とは略面一な状態となっており、他の容器Ｐのキャップ部材２の上面部２１に載置可能に設定し、複数の容器Ｐをスタッキングできるように構成している。
【００１８】
しかして、内部空間Ｓ１に飲料水を入れるとともに、収納空間Ｓ２に玩具Ｆを収納した容器Ｐは、図４に示すように、製品出荷時には容器本体１の底部１１、側部１２の全域及び頂部１３の一部を被覆するように不透明のパッケージラベルＲを貼着し、販売時又は陳列時には収納空間Ｓ２に入っている玩具Ｆが見えないようにしている。なお、キャップ部材２を不透明な素材を用いて構成する、或いはキャップ部材２を透光性を有する素材を用いて構成するとともに外面部に不透明なラベル等を貼着することにより、容器Ｐの上方からも玩具Ｆが見えないようにしている。また、パッケージラベルＲは、その上縁部が頂部１３の一部に掛かっているため、パッケージラベルＲが容器本体１から不意に外れるという不具合を防止している。よって、購入者は、玩具Ｆの中身が把握できない状態で購入し、その後パッケージラベルＲを剥がす又はキャップ部材２を容器本体１から取り外すことにより玩具Ｆを視認することができる。そして、内部空間Ｓ１に入っている飲料水を飲み終えた後は容器本体１がショーケースとして機能し、玩具Ｆを収納空間Ｓ２に収納した状態で容器Ｐごと飾ることが可能である。この場合、飲料水を飲み終えた後、内部空間Ｓ１を洗浄すればショーケースとしての機能をさらに高めることができる。また、本実施形態では、内部空間Ｓ１の容量を略６５ｍｌと比較的少なく設定し、幼児でも飲みやすい飲み切りサイズに適するようにしている。また、上述したように、容器Ｐをスタッキング可能に設定しているため、図５に示すように、玩具Ｆを収納空間Ｓ２に収納した状態で複数の容器Ｐを積み重ねる等好みに合わせて自由な態様で陳列することができる。また、台座Ｂを容器本体１の底部１１から取り外し、玩具Ｆを収納空間Ｓ２から取り出した状態で飾り置くこともでき、ディスプレイの自由度を有効に高めることができる。
【００１９】
このように、本実施形態に係る容器Ｐは、内部空間Ｓ１に飲料水を収容し得る容器本体１と、内部空間Ｓ１における所定領域を占有し且つ飲料水と隔離した状態で玩具Ｆを収納可能な収納空間Ｓ２とを備えているため、収納空間Ｓ２に収納される玩具Ｆが飲料水に触れて濡れるということがなく、一の容器Ｐ内に飲料水と玩具Ｆとを好適に入れておくことができる。このように、飲料水と玩具Ｆとを一の容器内に隔離した状態で陳列及ぶ販売するという斬新な発想に基づく容器Ｐを提供することにより、消費者の購買意欲を惹起し、販売促進効果に繋がる。しかも、玩具Fを一の容器Ｐ内に収容しているため、この容器Ｐの外面（表面）にパッケージラベＲを貼着した状態で陳列すれば、陳列時（消費者が商品を購入する前）に玩具Fが容器Ｐから取り外されることを有効に防止することができる。また、内部空間Ｓ１の一部を占有して形成した収納空間Ｓ２を利用して玩具Ｆを収納しているため、玩具Ｆが容器Ｐの陳列時或いは梱包時に邪魔になることがなく、整然と並べることができる。さらに、自動販売機で販売した場合であっても、玩具Ｆが自動販売機内で引っ掛かる或いは詰まるという不具合が生じ得ず、店のみならず自動販売機を介しての販売態様にも柔軟に対応することができる。
【００２０】
特に、収納空間Ｓ２が、容器本体１の底部１１に連通し得るものであるため、玩具Ｆの収納空間Ｓ２への出し入れも比較的簡単に行うことができるとともに、玩具Ｆの取出方向も直感的に把握することができる。
【００２１】
さらに、内部空間Ｓ１と収納空間Ｓ２とを仕切る突出壁１４及び連結壁１５が、容器本体１の底部１１に連続しているため、容器本体１と突出壁１４及び連結壁１５とを一体に成形することが可能であり、製造工程の簡素化を有効に図ることができるとともに、容器本体１と突出壁１４及び連結壁１５とを相互に密接に関連付けて成形することができ、容器本体１自体の強度を高めることもできる。
【００２２】
加えて、玩具Ｆを支持する台座Ｂが収納空間Ｓ２を蓋封する蓋部材としても機能するため、玩具Ｆを収納空間Ｓ２から取り出した場合に、玩具Ｆを台座Ｂを利用して安定した状態で飾り置くことが可能であるととももに、収納空間Ｓ２を蓋封する蓋部材を別途設ける必要がないため、部品点数の削減及びコストの削減に資する。
【００２３】
なお、本考案は、以上に詳述した実施形態に限られるものではない。
【００２４】
例えば、収納空間は容器本体の底部に連通する態様に限らず、容器本体の側部或いは頂部に連通するものであっても構わない。この場合、内部空間と収納空間とを仕切る隔壁を、容器本体の側部或いは頂部に連続するように設ければよい。また、収納空間の形状、すなわち内部空間と収納空間とを仕切る隔壁の形状を、概略球状、概略星形状、概略円錐状や概略角錐状等、種々の形状に設定しても構わない。
【００２５】
また、容器本体の形状や素材は仕様に合わせて適宜変更可能であり、それに応じて容器本体の内部空間の容量も変更すればよい。なお、容器本体は透光性が確保されるものであればよく、半透明のものや色のついたものであっても構わない。
【００２６】
また、収納空間を蓋封する蓋部材が、玩具等の被収納物を支持する台座と別体のものであってもよい。さらには、被収納物は台座に支持されたものでなくてもよく、収納空間に被収納物のみが収納されている態様を採用しても構わない。
【００２７】
また、キャップ部材と台座と嵌合可能に設定してもよい。具体的には、例えば図６及図７に示すように、キャップ部材２の平面視形状と台座Ｂの平面視形状とを略一致させるとともに、キャップ部材２の上面部２１の複数箇所に凹部２１ａを形成するとともに、台座Ｂに前記凹部２１ａに嵌まり込み得る凸部Ｂａを凹部２１ａの形成箇所に対応させて複数箇所に設けているものが挙げられる。なお、同図においては、凹部２１ａをキャップ部材２の上面部２１における隅部近傍に形成し、凸部Ｂａを台座Ｂの隅部近傍に設けて態様を示している。このようなものであれば、図８及び図９に示すように、一の容器Ｐのキャップ部材２に形成した凹部２１ａに、他の容器Ｐの台座Ｂに形成した凸部Ｂａを嵌合させることにより２以上の容器Ｐをスタッキングすることができるとともに、台座Ｂが玩具等の被収納物（図示省略）と一体成形されたもの又は一体的に設けられたものである場合には、容器本体１の首部１３ａから取り外したキャップ部材２を、容器本体１の底部１１から取り外した台座Ｂに嵌合させることにより、キャップ部材２を被収納物の装り台として機能させることができ、実用性に優れたものになる。この場合、キャップ部材２の垂下壁部２２に、被収納物の名称等を表示する表示部２２ｂを設けることにより、飾り台としての機能をより充実させることができる。表記部２２ｂには、ペン等で直接表記してもよく、或いは名称を表記したシールを貼り付けるようにしてもよい。このシールを収納空間Ｓ２に被収納物と共に収納しておき、当該被収納物の名称をシールに予め印字しておけば購入者自身がシールに表記するという手間を省略することができ、好適である。なお、凸部及び凹部の個数を適宜増減してもよく、また、凹部を台座に形成し、凸部をキャップ部材に設けても勿論構わない。また、キャップ部材と台座とを嵌合させる態様は、凹部と凸部との嵌合以外にも、キャップ部材又は台座の何れか一方に係合爪を設けるとともに、他方に係合爪が係合可能な係合部を形成し、係合爪を係合部に係り合わせることによりキャップ部材と台座とを嵌合させるように設定してもよい。なお、図６乃至図９もおいて前記実施形態と対応する部材、部位には同様の符号を付している。
【００２８】
さらに、上記実施形態では容器本体の内部空間に収容される内容物の一例として飲料水を採用したが、これに限らず、ラムネ菓子やチョコレート、飴、ガム等の食品、或いは液体ソープ、シャンプー、リンス、洗剤等の日用品、うがい薬等の薬品を内容物として容器本体の内部空間に収容しても構わない。また、内容物は液体、粉状体、或いは粉末状何れの状態のものであってもよい。
【００２９】
その他、各部の具体的構成についても上記実施形態に限られるものではなく、本考案の趣旨を逸脱しない範囲で種々変形が可能である。
【図面の簡単な説明】
【００３０】
【図１】本発明の一実施形態に係る容器の全体斜視図。
【図２】同実施形態に係る容器の分解斜視図。
【図３】同実施形態における容器本体の正面図及び断面図。
【図４】販売時等における同実施形態に係る容器の全体斜視図。
【図５】同実施形態に係る容器をスタッキングした状態で示す斜視図。
【図６】同実施形態に係る容器の一変形例を示す図。
【図７】同変形例の容器を底面側見た一部分解斜視図。
【図８】同変形例の容器をスタッキングした状態で示す斜視図。
【図９】同変形例のキャップ部材と台座との嵌合作用を説明する図。
【符号の説明】
【００３１】
１…容器本体
１１…底部
１１ａ…開口部
１４、１５…隔壁（突出壁、連結壁）
２…キャップ部材
２１ａ…凹部
Ｂ…台座
Ｂａ…凸部
Ｆ…被収納物（玩具）
Ｓ１…内部空間
Ｓ２…収納空間
Ｐ…容器
【図１】
0003105889.tif 000003
【図２】
0003105889.tif 000004
【図３】
0003105889.tif 000005
【図４】
0003105889.tif 000006
【図５】
0003105889.tif 000007
【図６】
0003105889.tif 000008
【図７】
0003105889.tif 000009
【図８】
0003105889.tif 000010
【図９】
0003105889.tif 000011